(57)【要約】      （修正有）【課題】より美麗な外観、より興趣性に富む、ティシュボックス用の装飾品を提供する。【解決手段】ティシュボックス５を装飾するための装飾体１からなる装飾品であって、装飾体１は、上部装飾体２と下部装飾体３と、上下部装飾体を貫通する中央開口部とからなる。上部装飾体２は花びらや葉の如き植物体の形状を有し、下部装飾体３は植木鉢状の形状を有しており、装飾体１をティシュボックス５に取り付ける際には、ティシュペーパー引き出し口位置に合わせて装飾体１の中央開口部を配置することにより、装飾体１の中央開口部を通してティシュペーパー６の引き出しを可能としたことを特徴とする。装飾体１を、ソフトタイプやハードタイプのティシュボックスカバーに取り付けて使用することもでき、ハードタイプのカバーを下部装飾体と兼ねることもできる。【選択図】図３
0003185315.tif 000002
【実用新案登録請求の範囲】
【請求項１】
ティシュボックスを装飾するための装飾体からなる装飾品であって、
装飾体は、上部装飾体と下部装飾体と、上下部装飾体を貫通する中央開口部とからなり、
上部装飾体は、花びらや葉の如き植物体の形状を有し、
下部装飾体は、植木鉢状の形状を有しており、
装飾体をティシュボックスに取り付ける際には、ティシュペーパー引き出し口位置に合わせて装飾体の中央開口部を配置し、装飾体の中央開口部を通してティシュペーパーの引き出しを可能としたことを特徴とする装飾品。
【請求項２】
前記装飾体が、ティシュボックスカバーに取り付けられていることを特徴とする請求項１記載の装飾品。
【考案の詳細な説明】
【技術分野】
【０００１】
本考案は、ティシュボックスに取り付けて使う装飾品に関し、ティシュボックスを装飾し、美麗な外観とインテリア性に優れ、かつティシュペーパーを引き出す楽しみも与える、ティシュボックス用装飾品に関する。
【背景技術】
【０００２】
ポップアップ式に取り出すようにティシュペーパーを収納したティシュボックスには、これまでにも、様々な装飾の試みがされており、ティシュボックスに直接模様等を描いたもの、側面や上面に装飾が施されたボックスカバーを用いるもの、上面に立体的な飾りを取り付けたものなどが知られている。
【０００３】
ティシュ取り出し口近傍を装飾するものとしては、ドライフラワーや造花を埋め込んだもの（特許文献１）、容器本体の図柄と引き出されるティシュペーパーとを一体に関連させたもの（噴煙、煙、湯気などが例示されている。）、取り出し口を煙突の形状とし、引き出されたティシュを煙に見立てるもの（特許文献３）などが報告されている。
【先行技術文献】
【特許文献】
【０００４】
【特許文献１】実用新案登録第３０２８６５５号公報
【特許文献２】特公平６−７３５０２号公報
【特許文献３】実用新案登録第３１３６２７７号公報
【考案の概要】
【考案が解決しようとする課題】
【０００５】
従来品もそれなりに装飾性があるものではあったが、本考案は、それらにも増して、より美麗な外観、より興趣性に富む、ティシュボックス用の装飾品を提供することを課題とする。
【課題を解決するための手段】
【０００６】
本考案に係る装飾品は、ティシュボックスのティシュ引出口位置近傍に取り付け、開口部を通してティシュペーパーを引き出すことができるようにしたことを特徴とし、以下の技術を基礎とする。
【０００７】
（１）ティシュボックスを装飾するための装飾体からなる装飾品であって、
装飾体は、上部装飾体と下部装飾体と、上下部装飾体を貫通する中央開口部とからなり、
上部装飾体は、花びらや葉の如き植物体の形状を有し、
下部装飾体は、植木鉢状の形状を有しており、
装飾体をティシュボックスに取り付ける際には、ティシュペーパー引き出し口位置に合わせて装飾体の中央開口部を配置し、装飾体の中央開口部を通してティシュペーパーの引き出しを可能としたことを特徴とする装飾品。
【０００８】
（２）前記装飾体が、ティシュボックスカバーに取り付けられていることを特徴とする（１）記載の装飾品。
【考案の効果】
【０００９】
本考案の装飾品を使用することによって、ティシュボックス上部に引き出されたティシュペーパーが花びらもしくは花芯状を呈し、興趣性に富む装飾品とすることができる。より実用的かつ装飾性を実現できるものとなる。
【図面の簡単な説明】
【００１０】
【図１】図１は、本考案に係る装飾品の実施例を示す図である。（実施例１）
【図２】図２は、図１の装飾品の使用方法を説明する図である。
【図３】図３は、図１の装飾品をティシュボックスに取り付けた図である。
【図４】図４は、本考案に係る装飾品の別の実施例の使用方法を示す図である。（実施例２）
【図５】図５は、図４の装飾品をティシュボックスに取り付けた図である。
【図６】図６は、本考案に係る装飾品の別の実施例の使用方法を示す図である。（実施例３）
【図７】図７は、図６の装飾品をティシュボックスに取り付けた図である。
【図８】図８は、本考案に係る装飾品の別の実施例の使用方法を示す図である。（実施例４）
【図９】図９は、図８の装飾品をティシュボックスに取り付けた図である。
【考案を実施するための形態】
【００１１】
本考案の装飾品においては、上部装飾体は、花びら状、花芯状あるいは葉状の植物体の形状とし、その素材は、紙や布等、装飾品として使用、市販されている各種素材を使うことができる。特に、シルクフラワー、ドライフラワー、プリザーブドフラワーを用いるとより美麗なものとなる。
【００１２】
下部装飾体は、紙や布帛など植木鉢を模すことができる素材を使用することができ、陶器製のものを使用すると、よりリアリティーが増し、装飾効果が期待できる。
【００１３】
また、装飾体をティシュボックスカバーに取り付けることによって、装飾体の取り付けを容易とし、かつカバーの模様を変えることによって、より装飾性を高めることができる。カバーはソフトカバー、ハードカバーのいずれでも使用できる。
ソフトカバーの場合は、綿織物や麻織物を使用し、石を模した色合いのもの、煉瓦模様、あるいは野原を演出したものなど、好みに応じて選択し、採用する。
【００１４】
ハードカバーの場合、ティシュボックスの形状に合わせた方形の植木鉢状のものとし、下部装飾体を兼ねることができる。小型のボックスの場合は、円形の植木鉢を模して造ることもできる。携帯用のティシュを積み重ねて、その上に装飾体付きカバーを被せることも可能である。
【実施例】
【００１５】
以下、図面に基づき本考案を具体的に説明する。なお、本考案はこの実施例に限定されるものではない。
【００１６】
＜実施例１＞  
図１に、実施例１に係る装飾品を示す。装飾体１は、葉の形の数枚の装飾片からなる上部装飾体２と、鉢の形状とした下部装飾体３からなり、ティシュペーパーを通すことができる、中央開口部４が設けられている。
【００１７】
装飾体１をティシュボックスに取り付けるには、図２のように、ティシュボックス５の取り出し口７に位置合わせして装飾体１を載置し、ティシュペーパー６を装飾体１の中央開口部４より、引き出して一体化させる。その結果、図３のように、装飾体１の中央部より、ティシュペーパーが花びら状となり、一見するとティシュペーパーの箱とは思えない様子を呈する。
【００１８】
ティシュペーパーの素材の特性を考慮すると、全体として水仙の花に似せたものとした場合に、より興趣性が増すと考えられる。
一見するとティシュボックスとは見えない、意外性のある装飾品となるが、ティシュペーパーを引き出す際の実用性に問題はなく、従来通りにティシュペーパーを容易に引き出すことができる上、花に模したティシュペーパーを引き出すという楽しさも味わうことができる。
【００１９】
＜実施例２＞
装飾体をカバーに取り付けた実施例を図４以下に示す。図４及び図５はソフトなカバーを使用した実施例であり、茶色の綿布をカバー８に採用し、天然石の上に載置された植木鉢状とする。
カバーの模様を、石垣状、煉瓦状、あるいは野原様のものなど、様々なものに取り替えることによって、変化に富んだ装飾品とすることができる。
【００２０】
＜実施例３＞
下部装飾体とカバーとを兼ねさせ、堅い方形の植木鉢型の装飾体とした実施例を図６及び図７に示す。装飾体１を、ティシュボックス５に被せ、ティシュペーパー６を中央開口部４より、引き出す。より植木鉢に近い形状の装飾品となる。
【００２１】
＜実施例４＞
図８は、半分のサイズの小型ティシュボックスを利用した実施例で、丸い植木鉢型のハードカバーを下部装飾体と兼ねた例である。
【産業上の利用可能性】
【００２２】
本考案の装飾体を使用すると、一見するとティシュボックスには見えない装飾品を得ることができ、日々の生活に潤いをもたらすことができる。ティシュペーパーを引き出す楽しさも味わうことができる上、本来の用途としての実用性も損なうことがない。素材、模様を色々と変化させることによって、様々な形の装飾品とすることができ、より興趣性の向上を期待できるものである。
【符号の説明】
【００２３】
１    装飾体
２    上部装飾体
３    下部装飾体
４    中央開口部
５    ティシュボックス
６    ティシュペーパー
７    ティシュペーパー引き出し口
８    ティシュボックスカバー
【図１】
0003185315.tif 000003
【図２】
0003185315.tif 000004
【図３】
0003185315.tif 000005
【図４】
0003185315.tif 000006
【図５】
0003185315.tif 000007
【図６】
0003185315.tif 000008
【図７】
0003185315.tif 000009
【図８】
0003185315.tif 000010
【図９】
0003185315.tif 000011